(57)【要約】【課題】  安価で且つ長期間安定して水を供給することのできる吸水体を備えた植物栽培用装置を提供する。【解決手段】  上記課題は、その下部に水１７を貯留すると共にその上部に園芸用土１６を収容する容器３と、容器の下部に貯留された水を毛細管現象によって園芸用土に吸い上げ供給するための吸水体５と、容器内の水を貯留する部位と外気との通気を確保すると共に容器内の水を貯留する部位へ水を供給するための連通孔８と、を備えた植物栽培用装置１であって、前記吸水体５は、その側壁に通気孔７ａを有する外筒７と当該外筒内に充填されたコークス粉の充填層６とから構成される植物栽培用装置１によって解決することができる。【選択図】            図１
2005218303.tif 000002
【特許請求の範囲】
【請求項１】
その下部に水を貯留すると共にその上部に園芸用土を収容する容器と、容器の下部に貯留された水を毛細管現象によって前記園芸用土に吸い上げ供給するための吸水体と、容器内の水を貯留する部位と外気との通気を確保すると共に容器内の水を貯留する部位へ水を供給するための連通孔と、を備えた植物栽培用装置であって、前記吸水体は、その側壁に通気孔を有する外筒と当該外筒内に充填されたコークス粉の充填層とから構成されることを特徴とする植物栽培用装置。
【請求項２】
前記容器内には、水を貯留する部位と園芸用土を収容する部位とに容器内を仕切るための仕切り材が設けられ、仕切り材には水を通すための通水孔が設けられ、前記吸水体は少なくとも当該通水孔の下面に接触していることを特徴とする、請求項１に記載の植物栽培用装置。
【請求項３】
その下部にコークス粉を収容してコークス粉の充填層を形成すると共に当該コークス粉の充填層の上方に園芸用土を収容する容器と、容器内のコークス粉の充填層と外気との通気を確保すると共に当該コークス粉の充填層へ水を供給するための連通孔と、を備えた植物栽培用装置であって、前記コークス粉の充填層は、連通孔から供給されて当該コークス粉の充填層内に貯留される水を、毛細管現象によって前記園芸用土に吸い上げ供給することを特徴とする植物栽培用装置。
【請求項４】
その下部にコークス粉を収容して第１のコークス粉の充填層を形成すると共に第１のコークス粉の充填層の上方に園芸用土を収容する容器からなる植物栽培用装置であって、前記容器内の一部分には、前記園芸用土を貫通して、外気と第１のコークス粉の充填層との通気を確保すると共に第１のコークス粉の充填層へ水を供給するための第２のコークス粉の充填層が形成され、前記第１のコークス粉の充填層は、第２のコークス粉の充填層から供給されて第１のコークス粉の充填層内に貯留される水を、毛細管現象によって前記園芸用土に吸い上げ供給することを特徴とする植物栽培用装置。
【請求項５】
前記容器内には、コークス粉を収容する部位と園芸用土を収容する部位とに容器内を仕切るための網状物体が設けられていることを特徴とする、請求項３または請求項４に記載の植物栽培用装置。
【請求項６】
水を貯留するための水槽と、水槽に貯留された水を毛細管現象によって吸い上げるための吸水体と、水槽の内部と外気との通気を確保すると共に水槽の内部へ水を供給するための連通孔と、を備えた植物栽培用給水装置であって、前記吸水体は、その側壁に通気孔を有する外筒と当該外筒内に充填されたコークス粉の充填層とから構成されることを特徴とする植物栽培用給水装置。
【請求項７】
水を貯留するための水槽と、水槽に貯留された水を毛細管現象によって吸い上げるための吸水体と、水槽の内部と外気との通気を確保すると共に水槽の内部へ水を供給するための連通孔と、を備えた植物栽培用給水装置であって、前記吸水体は、前記水槽内に充填されたコークス粉の充填層から構成され、前記連通孔から供給された水は当該コークス粉の充填層内に貯留されることを特徴とする植物栽培用給水装置。
【発明の詳細な説明】
【技術分野】
【０００１】
本発明は、植物を育成するための植物栽培用装置及び給水装置に関し、詳しくは、植物への自動的な水やり機能及び通気機能を備えた植物栽培用装置及び給水装置に関するものである。
【背景技術】
【０００２】
近年、園芸ブームによって植物の栽培が盛んに行われており、特に、我国の狭い住居環境を反映して、植木鉢や園芸用プランターを用い、屋内やベランダなどにおいて植物を栽培することが盛んになっている。しかし、旅行などで不在の場合には、植木鉢や園芸用プランターに植えられた植物に水やりを行うことができず、これを解決するために、植木鉢や園芸用プランターなどに植えられた植物に水やりを自動的に行うことのできる植物栽培用装置が多数提案されている。
【０００３】
例えば、特許文献１には、図９に示すように、植物が植えられる園芸用土１６を収容するための鉢体５２と、この鉢体５２の下部に連結され、水１７を収容するための水槽５３と、水槽５３の内部と外気との通気を確保すると共に水槽５３の内部へ水を注入するための連通路５４と、水槽５３に収容されている水１７を鉢体５２に収容されている園芸用土１６に毛細管現象で吸上げ供給するための吸水体５５と、を備えた植物栽培用装置５１が提案されている。特許文献１によれば、水槽内に水を貯えるだけで、貯えた水が毛細管現象で吸水体によって吸い上げられ、自動的に園芸用土に供給されるとしている。
【０００４】
また、特許文献２には、前述した図９に示すような植物栽培用装置５１は、鉢体５２と水槽５３とが一体的に構成されており、この種の給水機能を備えていない例えば通常の植木鉢に植えられた植物に給水する場合には、この種の植物栽培用装置５１に植え替える必要があるため、手間がかかり不都合であるとし、図１０に示すように、植木鉢１８を収容するための上方の開放した外鉢５７と、この外鉢５７の底部に貯められた水１７を、毛細管現象を利用して植木鉢１８内の園芸用土１６に吸い上げるための吸水体５８と、を備えた植物栽培用給水装置５６が提案されている。特許文献２によれば、例えば通常の植木鉢に植えられた植物であっても、植え替えることなく、この給水装置内に植木鉢を設置して外鉢に水を貯えるだけで、貯えた水が毛細管現象で吸水体によって吸い上げられ、自動的に園芸用土に供給されるとしている。
【０００５】
【特許文献１】特開２００１−４５８７３号公報
【特許文献２】特開２００２−２７８５４号公報
【発明の開示】
【発明が解決しようとする課題】
【０００６】
このように、植物への水やりを自動的に行うことのできる植物栽培用装置或いは給水装置は提案されているものの、毛細管現象を利用して植木鉢や園芸用プランターなどに水を吸い上げるための吸水体として、特許文献１では、炭化珪素、カーボランダムなどのセラミックスを棒形に成形した加工品を使用し、また、特許文献２では、糸材など繊維を束ねて使用している。セラミックスを棒形に成形した加工品は高価であり、植物栽培用装置のコストを上昇させる要因になっている。一方、糸材などを束ねた繊維は、安価ではあるが、糸材の劣化による破断などにより、長期間に亘って安定して水を吸い上げることはできず、定期的に吸水体を交換するなどしなければならない。
【０００７】
本発明はこのような事情に鑑みてなされたもので、その目的とするところは、安価で且つ長期間安定して水を供給することができると共に園芸用土への通気機能をも有する吸水体を備えた植物栽培用装置及び給水装置を提供することである。
【課題を解決するための手段】
【０００８】
上記課題を解決するための本願第１の発明に係る植物栽培用装置は、その下部に水を貯留すると共にその上部に園芸用土を収容する容器と、容器の下部に貯留された水を毛細管現象によって前記園芸用土に吸い上げ供給するための吸水体と、容器内の水を貯留する部位と外気との通気を確保すると共に容器内の水を貯留する部位へ水を供給するための連通孔と、を備えた植物栽培用装置であって、前記吸水体は、その側壁に通気孔を有する外筒と当該外筒内に充填されたコークス粉の充填層とから構成されることを特徴とするものである。
【０００９】
第２の発明に係る植物栽培用装置は、第１の発明において、前記容器内には、水を貯留する部位と園芸用土を収容する部位とに容器内を仕切るための仕切り材が設けられ、仕切り材には水を通すための通水孔が設けられ、前記吸水体は少なくとも当該通水孔の下面に接触していることを特徴とするものである。
【００１０】
第３の発明に係る植物栽培用装置は、その下部にコークス粉を収容してコークス粉の充填層を形成すると共に当該コークス粉の充填層の上方に園芸用土を収容する容器と、容器内のコークス粉の充填層と外気との通気を確保すると共に当該コークス粉の充填層へ水を供給するための連通孔と、を備えた植物栽培用装置であって、前記コークス粉の充填層は、連通孔から供給されて当該コークス粉の充填層内に貯留される水を、毛細管現象によって前記園芸用土に吸い上げ供給することを特徴とするものである。
【００１１】
第４の発明に係る植物栽培用装置は、その下部にコークス粉を収容して第１のコークス粉の充填層を形成すると共に第１のコークス粉の充填層の上方に園芸用土を収容する容器からなる植物栽培用装置であって、前記容器内の一部分には、前記園芸用土を貫通して、外気と第１のコークス粉の充填層との通気を確保すると共に第１のコークス粉の充填層へ水を供給するための第２のコークス粉の充填層が形成され、前記第１のコークス粉の充填層は、第２のコークス粉の充填層から供給されて第１のコークス粉の充填層内に貯留される水を、毛細管現象によって前記園芸用土に吸い上げ供給することを特徴とするものである。
【００１２】
第５の発明に係る植物栽培用装置は、第３または第４の発明において、前記容器内には、コークス粉を収容する部位と園芸用土を収容する部位とに容器内を仕切るための網状物体が設けられていることを特徴とするものである。
【００１３】
第６の発明に係る植物栽培用給水装置は、水を貯留するための水槽と、水槽に貯留された水を毛細管現象によって吸い上げるための吸水体と、水槽の内部と外気との通気を確保すると共に水槽の内部へ水を供給するための連通孔と、を備えた植物栽培用給水装置であって、前記吸水体は、その側壁に通気孔を有する外筒と当該外筒内に充填されたコークス粉の充填層とから構成されることを特徴とするものである。
【００１４】
第７の発明に係る植物栽培用給水装置は、水を貯留するための水槽と、水槽に貯留された水を毛細管現象によって吸い上げるための吸水体と、水槽の内部と外気との通気を確保すると共に水槽の内部へ水を供給するための連通孔と、を備えた植物栽培用給水装置であって、前記吸水体は、前記水槽内に充填されたコークス粉の充填層から構成され、前記連通孔から供給された水は当該コークス粉の充填層内に貯留されることを特徴とするものである。
【００１５】
本発明では、水を毛細管現象によって吸い上げるための吸水体をコークス粉の充填層で構成する。コークスには、表面に開口した微細な気孔（「開気孔」という）が多数存在し、水はこの開気孔を介して毛細管現象により容易に移動することができる。即ち、コークスは開気孔率が高いため、毛細管現象で水を吸い上げるためには最適であり、また、コークスは強度が大きくて壊れにくいため、吸水体として長期間使用しても粉化することがなく、繰り返し使用することができる。そのため、吸水体の製造コストを抑えることができると同時に、長期間安定して吸水体として使用することが可能となる。更に、コークスの表面には凹凸があるため、コークスを充填しても隣合うコークス同士の粒間には間隙が形成され、空気はこの間隙を通って自由に移動することができる。そのため、コークス充填層の上方に配置される園芸用土に対し、コークス充填層を介して空気を供給することができる。
【００１６】
この場合、使用するコークス粉としては、特に、製鉄業の高炉（溶鉱炉とも呼ぶ）で使用されるコークスのアンダーサイズ品（篩下品）を使用することが好ましい。高炉で使用するコークスは強度が高い上に開気孔率が高く、更に、アンダーサイズ品は副産物として必然的に発生するので、目的的に製造する場合に較べて、製造コストを下げることができるからである。
【発明の効果】
【００１７】
本発明によれば、植物栽培用装置及び給水装置で用いられる、水を毛細管現象によって吸い上げるための吸水体を、コークス粉の充填層で構成するので、通気性が確保され、且つ、吸水体の製造コストを抑えることができると同時に長期間安定して吸水体として使用することができる。
【発明を実施するための最良の形態】
【００１８】
以下、添付図面を参照して本発明を具体的に説明する。図１は、本発明の第１の実施の形態例を示す図であって、本発明に係る植物栽培用装置の縦断面概略図である。
【００１９】
図１に示すように、第１の実施の形態に係る植物栽培用装置１は、その上部に園芸用土１６を収容すると共にその下部に水１７を貯留するための容器３と、容器３の底部に収容された水１７を毛細管現象によって園芸用土１６に吸い上げ供給するための吸水体５と、容器３の内部と外気との通気を確保すると共に、容器３の内部へ水１７を供給するための連通孔としてのパイプ８とを備えており、容器３の内部には、園芸用土１６を収容する部位と水１７を収容する部位とに容器３の内部を仕切るための仕切り材４が設置されている。仕切り材４には、通水孔４ａと通気孔４ｂとが設けられ、通水孔４ａに吸水体５の上端が貫通して設置されている。仕切り材４は、園芸用土１６を保持するための強度が必要であり、従って、容器３のサイズに応じて厚みを決める必要がある。仕切り材４は、合成樹脂、ガラス、陶器、金属、木材などで構成することができる。
【００２０】
吸水体５は、その側壁に通気孔７ａを有する外筒７と、この外筒７の内部に充填されたコークス粉充填層６とで構成されている。外筒７の上端は開口しており、コークス粉充填層６と園芸用土１６とが接触するようになっている。同様に、外筒７の下端は開口しており、外筒７の内部に水１７が侵入できるようになっている。外筒７の上端及び下端には、充填したコークス粉の排出を防止するために、ネットなどを設置することが好ましい。外筒７は、合成樹脂、ガラス、陶器、金属、木材などで構成することができる。
【００２１】
使用するコークス粉としては、粒径が１〜１０ｍｍ程度であればどのような性状であっても構わないが、特に、瀝青炭などの高粘結性の石炭を乾留して製造した高炉用コークスのアンダーサイズ品を用いることが好ましい。高炉用のコークスは、回転強度試験法による潰裂強度がＤＩ（ドラムインデックス）で９２％以上と強度が大きい上に、気孔率も３０〜４０％程度と高く、毛細管現象によって水１７を吸い上げる材料として最適である。しかも、コークス炉で製造されたコークスは比較的大きな塊状であるので、高炉に装入するためには、破砕機によって破砕されて粒径が調整されるが、高炉では、通気性を確保するために細かいサイズのコークスは使用されず、破砕されたコークスは篩分けされ、アンダーサイズ品が必然的に発生する。従って、このアンダーサイズ品を、例えば１〜１０ｍｍ程度に篩分けすることで、所望するサイズのコークス粉を比較的安価に得ることができる。尚、毛細管現象による吸水体５の水１７の吸い上げを迅速に行わせるために、コークス粉を予め水に浸しておくことが好ましい。コークス粉を水に浸す時期は、コークス粉を外筒７に充填する前であっても、コークス粉を外筒７内に充填した以降であっても、更に、コークス粉が充填された吸水体５を容器３に配置した以降であっても、何時でも構わない。
【００２２】
容器３及びパイプ８は、合成樹脂、ガラス、陶器、金属、木材などの適宜の材料で構成することができる。但し、容器３は、その底部に水１７を貯える必要があることから、水漏れしないことが必要である。また、コークス粉の充填層では、隣合うコークス同士の粒間に間隙が形成され、空気及び水はこの間隙を通って自由に移動することができるので、パイプ８内にコークス粉を充填させてもよい。この場合、パイプ８の上端及び下端にはコークス粉が流出しないように、ネットなどを設置することが好ましい。更に、園芸用土１６に迅速に水１７を供給するために、仕切り材４の上面側にもコークス粉の充填層を形成してもよく、また、仕切り材４を多数の孔を有する構造とし、その内部にコークス粉を充填させてもよい。
【００２３】
このような構成の本発明に係る植物栽培用装置１によれば、パイプ８から水１７を供給して、仕切り材４までには至らないだけの適量の水１７を容器３内に溜めておくことにより、園芸用土１６に対して空気を下方側から供給すると共に長期間に亘って安定して水１７を自動的に供給することができる。
【００２４】
次ぎに、図２を参照して第２の実施の形態例について説明する。図２は、本発明の第２の実施の形態例を示す図であって、本発明に係る植物栽培用装置の縦断面概略図である。
【００２５】
図２に示すように、第２の実施の形態に係る植物栽培用装置１Ａでは、前述した第１の実施の形態例に対して、容器３の内部と外気との通気を確保すると共に容器３の内部へ水１７を供給するための連通孔としてのパイプ８の代わりに、容器３の側壁に、この側壁を貫通する貫通孔９が設置されている。その他の部分は図１に示す第１の実施の形態例と同一であり、同一の部分は同一符号により示し、その説明は省略する。
【００２６】
このような構成の本発明に係る植物栽培用装置１Ａによれば、貫通孔９から水１７を供給して、貫通孔９から水１７が溢れ出ないだけの適量の水１７を容器３内に溜めておくことにより、園芸用土１６に対して空気を供給すると共に長期間に亘って安定して水１７を自動的に供給することができる。また、容器３の側壁に貫通孔９が設置してあるので、容器３内に溜められた水１７の量を目視で確認することができる。
【００２７】
次ぎに、図３を参照して第３の実施の形態例について説明する。図３は、本発明の第３の実施の形態例を示す図であって、本発明に係る植物栽培用装置の縦断面概略図である。
【００２８】
図３に示すように、第３の実施の形態に係る植物栽培用装置１Ｂは、その上部に園芸用土１６を収容すると共に、その下部に水１７及びコークス粉の充填層６ａを収容するための容器３と、容器３の底部側に配置された水溜容器１１と、水溜容器１１の内部と外気との通気を確保すると共に水溜容器１１の内部へ水１７を供給するための連通孔としてのパイプ１０とを備えており、容器３の内部には、園芸用土１６を収容する部位とコークス粉の充填層６ａを収容する部位とに容器３の内部を仕切るための網状物体１２が設置されている。この場合、水溜容器１１は、コークス粉の充填層６ａに埋没して配置されている。
【００２９】
網状物体１２は、合成繊維、合成樹脂、或いは金属などからなり、園芸用土１６とコークス粉の充填層６ａとの間で空気や水を通過させるための通路を備えている。通路の大きさはコークス粉を通過させない程度であればよい。網状物体１２は、園芸用土１６を保持するための強度を必要とせず、コークス粉の充填層６ａと密着していればよい。網状物体１２は、コークス粉と園芸用土１６とを仕切り、コークス粉或いは園芸用土１６を繰り返し使用する際にコークス粉と園芸用土１６とを分離するためのものであり、従って、例えば繰り返して使用しないような場合には、網状物体１２は設置しなくても構わない。
【００３０】
また、水溜容器１１には、通水孔及び通気孔の役割をする孔１１ａが複数個設けられており、水溜容器１１内の水１７及び空気は、孔１１ａを通ってコークス粉の充填層６ａ更には園芸用土１６に供給される。水溜容器１１は、合成樹脂、ガラス、陶器、金属、木材などの適宜の材料で構成することができる。
【００３１】
第３の実施の形態に係る植物栽培用装置１Ｂでは、コークス粉の充填層６ａの全体が、容器３の底部に収容された水１７を毛細管現象によって園芸用土１６に吸い上げ供給するための吸水体として機能する。充填層６ａを形成するためのコークス粉としては、前述した第１の実施の形態で使用したコークス粉と同様のものを使用すればよい。また、使用する容器３及びパイプ１０も、前述した第１の実施の形態で使用したものと同様のものを使用すればよい。
【００３２】
このような構成の本発明に係る植物栽培用装置１Ｂによれば、パイプ１０から水１７を供給して、水溜容器１１内に空間が残るだけの適量の水１７を水溜容器１１内に溜めておくことにより、園芸用土１６に対して空気を供給すると共に長期間に亘って安定して水１７を自動的に供給することができる。
【００３３】
次ぎに、図４を参照して第４の実施の形態例について説明する。図４は、本発明の第４の実施の形態例を示す図であって、本発明に係る植物栽培用装置の縦断面概略図である。
【００３４】
図４に示すように、第４の実施の形態に係る植物栽培用装置１Ｃでは、前述した第３の実施の形態例に対して、水１７の貯留場所を確保していた水溜容器１１を取り除き、容器３の下部を全てコークス粉の充填層６ａとしたものである。水は、コークス粉の充填層６ａの下部に貯留される構造である。この場合、コークス粉の充填層６ａと外気との通気を確保すると共に容器３の内部へ水を供給するための連通孔としてのパイプ８が、その先端位置をコークス粉の充填層６ａ内として設置されている。その他の部分は図３に示す第３の実施の形態例と同一であり、同一の部分は同一符号により示し、その説明は省略する。
【００３５】
このような構成の本発明に係る植物栽培用装置１Ｃによれば、パイプ８から水を供給して、園芸用土１６までには至らないだけの適量の水を容器３内に溜めておくことにより、園芸用土１６に対して空気を供給すると共に長期間に亘って安定して水を自動的に供給することができる。
【００３６】
次ぎに、図５を参照して第５の実施の形態例について説明する。図５は、本発明の第５の実施の形態例を示す図であって、本発明に係る植物栽培用装置の縦断面概略図である。
【００３７】
図５に示すように、第５の実施の形態に係る植物栽培用装置１Ｄは、その下部にコークス粉を収容して第１のコークス粉の充填層６ｂを形成すると共に、第１のコークス粉の充填層６ｂの上方に園芸用土１６を収容した容器３で構成されており、容器３の側壁部には環状の第２のコークス粉の充填層６ｃが園芸用土１６を貫通して配置されている。この第２のコークス粉の充填層６ｃは、通気孔として機能を有し、外気と第１のコークス粉の充填層６ｂとの通気を確保すると共に、第１のコークス粉の充填層６ｂへ水を供給するための役割を担っている。
【００３８】
図５では、第２のコークス粉の充填層６ｃは環状に設置されているが、園芸用土１６を貫通しているならば園芸用土１６のどの部分に配置してもよい。また、前述した第３の実施の形態例と同様に、第１のコークス粉の充填層６ｂと園芸用土１６とを仕切るための網状物体を配置してもよい。第２のコークス粉の充填層６ｃを介して供給される水は、コークス粉の充填層６ｂの下部に貯留されるようになっている。コークス粉の充填層６ｂの全体が、コークス粉の充填層６ｂの下部に貯留された水を毛細管現象によって園芸用土１６に吸い上げ供給するための吸水体として機能する。充填層６ｂ，６ｃを形成するコークス粉としては、前述した第１の実施の形態例と同様のものを使用すればよい。
【００３９】
このような構成の本発明に係る植物栽培用装置１Ｄによれば、第２のコークス粉の充填層６ｃを介して容器３に水を供給し、園芸用土１６までには至らないだけの適量の水を容器３内に溜めておくことにより、園芸用土１６に対して空気を供給すると共に長期間に亘って安定して水を自動的に供給することができる。
【００４０】
次ぎに、図６を参照して第６の実施の形態例について説明する。図６は、本発明の第６の実施の形態例を示す図であって、本発明に係る植物栽培用給水装置の縦断面概略図である。
【００４１】
第６の実施の形態に係る植物栽培用給水装置２は、通常使用される植木鉢１８であっても、その内部に収容される園芸用土に水を自動的に吸い上げて供給することができる装置であり、植木鉢１８の内部に設置されて使用される装置である。即ち、第６の実施の形態に係る植物栽培用給水装置２は、図６に示すように、水を収容するための水槽１３と、水槽１３に収容された水を毛細管現象によって吸い上げるための吸水体５と、水槽１３の内部と外気との通気を確保すると共に水槽１３の内部へ水を供給するための連通孔としてのパイプ８とを備えている。水槽１３は、水漏れのしない箱型をしており、その上部側の壁面には、通水孔１３ａ及び通気孔１３ｂが設けられている。また、水槽１３は、その上部に堆積される園芸用土を保持するための強度が必要であり、従って、水槽１３及び容器３のサイズに応じて水槽１３の厚みを決める必要がある。水槽１３は、合成樹脂、ガラス、陶器、金属、木材などで構成することができる。
【００４２】
吸水体５は、その側壁に通気孔７ａを有する外筒７と、この外筒７の内部に充填されたコークス粉充填層６とから構成されており、吸水体５の上端部が、水槽１３に設けられた通水孔１３ａを貫通している。外筒７の上端は開口しており、コークス粉充填層６と園芸用土とが接触するようになっている。また、外筒７の下端は開口しており、外筒７の内部に水槽１３内の水が侵入できるようになっている。外筒７の上端及び下端には、充填したコークス粉の排出を防止するために、ネットなどを設置することが好ましい。外筒７は、合成樹脂、ガラス、陶器、金属、木材などで構成することができる。
【００４３】
使用するコークス粉としては、前述した第１の実施の形態で使用したコークス粉と同様のものを使用すればよい。また、使用するパイプ８も、前述した第１の実施の形態で使用したものと同様のものを使用すればよい。
【００４４】
このような構成の本発明に係る植物栽培用給水装置２によれば、例えば市販の植木鉢１８であっても、植木鉢１８の内部に本発明に係る植物栽培用給水装置２を設置し、その上に園芸用土を堆積させ、パイプ８から水を水槽１３に供給して、水槽１３内に空間ができるだけの適量の水を水槽１３内に溜めておくことにより、園芸用土に対して空気を供給すると共に長期間に亘って安定して水を自動的に供給することができる。
【００４５】
次ぎに、図７を参照して第７の実施の形態例について説明する。図７は、本発明の第７の実施の形態例を示す図であって、本発明に係る植物栽培用給水装置の縦断面概略図である。
【００４６】
図７に示すように、第７の実施の形態に係る植物栽培用給水装置２Ａは、前述した第６の実施の形態例に対して、水を収容するための水槽１３の内部にコークス粉が充填され、コークス粉の充填層６ａが形成されており、このコークス粉の充填層６ａが、コークス粉の充填層６ａの下部に貯留される水を吸い上げ供給するための吸水体として機能する。水槽１３の上面側には、通気孔及び通水孔としての孔１３ｃが複数個設置されている。水槽１３の内部と外気との通気を確保すると共に水槽１３の内部へ水を供給するための連通孔としてのパイプ８には、コークス粉が充填されているが、前述した第６の実施の形態例と同様にパイプ８のみとしてもよい。その他の部分は図６に示す第６の実施の形態例と同一であり、同一の部分は同一符号により示し、その説明は省略する。
【００４７】
このような構成の本発明に係る植物栽培用給水装置２Ａによれば、例えば市販の植木鉢１８であっても、植木鉢１８の内部に本発明に係る植物栽培用給水装置２Ａを設置し、その上に園芸用土を堆積させ、パイプ８から水を水槽１３に供給して、水槽１３内に上部に空間ができるだけの適量の水を水槽１３内に溜めておくことにより、園芸用土に対して空気を供給すると共に長期間に亘って安定して水を自動的に供給することができる。
【００４８】
次ぎに、図８を参照して第８の実施の形態例について説明する。図８は、本発明の第８の実施の形態例を示す図であって、本発明に係る植物栽培用給水装置の縦断面概略図である。
【００４９】
第８の実施の形態に係る植物栽培用給水装置２Ｂは、植物１９が植えられた植木鉢１８であっても、植物１９を植え替えることなく、園芸用土１６及び植物１９に自動的に水を吸い上げて供給することが可能な装置である。即ち、第８の実施の形態に係る植物栽培用給水装置２Ｂは、図８に示すように、水を収容するための水槽１４と、水槽１４に収容された水１７を毛細管現象によって吸い上げるための吸水体５とを備え、水槽１４の側壁には、水槽１４の内部と外気との通気を確保すると共に水槽１４の内部へ水を供給するための連通孔としての貫通孔１５が設けられている。植木鉢１８は水槽１４の受け座１４ａに載っており、植木鉢１８内の園芸用土１６と吸水体５とを接触させるために、吸水体５の上端部が植木鉢１８の排水口１８ａを貫通するようにして配置されている。吸水体５は、前述した第６の実施の形態例のものと同一である。水槽１４は、合成樹脂、ガラス、陶器、金属、木材などで構成することができる。この場合、連通孔として貫通孔１５の代わりに、植木鉢１８と受け座１４ａとの接触面に間隙が形成されるようにしてもよい。
【００５０】
このような構成の本発明に係る植物栽培用給水装置２Ｂによれば、植物１９が植えられた植木鉢１８であっても、吸水体５が植木鉢１８の排水口１８ａに挿入されるように、植物栽培用給水装置２Ｂの上に植木鉢１８を設置することで、貫通孔１５から水槽１４の内部に供給された水１７を、園芸用土１６及び植物１９に対して長期間に亘って安定して自動的に供給することができると共に、園芸用土１６及び植物１９に対して空気を供給することができる。
【００５１】
尚、上記説明は、水を吸い上げて供給するための吸水体５が１つの例で説明したが、吸水体５を２つ以上配置してもよい。また、上記説明は、植物を植えるための容器が植木鉢状の容器について説明したが、例えば園芸プランターのような他の形状であっても、吸水体５の設置数を適宜増やすことで、上記に沿って本発明を適用することができる。
【図面の簡単な説明】
【００５２】
【図１】本発明の第１の実施の形態例を示す図であって、本発明に係る植物栽培用装置の縦断面概略図である。
【図２】本発明の第２の実施の形態例を示す図であって、本発明に係る植物栽培用装置の縦断面概略図である。
【図３】本発明の第３の実施の形態例を示す図であって、本発明に係る植物栽培用装置の縦断面概略図である。
【図４】本発明の第４の実施の形態例を示す図であって、本発明に係る植物栽培用装置の縦断面概略図である。
【図５】本発明の第５の実施の形態例を示す図であって、本発明に係る植物栽培用装置の縦断面概略図である。
【図６】本発明の第６の実施の形態例を示す図であって、本発明に係る植物栽培用給水装置の縦断面概略図である。
【図７】本発明の第７の実施の形態例を示す図であって、本発明に係る植物栽培用給水装置の縦断面概略図である。
【図８】本発明の第８の実施の形態例を示す図であって、本発明に係る植物栽培用給水装置の縦断面概略図である。
【図９】従来の植物栽培用装置の概略図である。
【図１０】従来の植物栽培用給水装置の概略図である。
【符号の説明】
【００５３】
１，１Ａ，１Ｂ，１Ｃ，１Ｄ  植物栽培用装置
２，２Ａ，２Ｂ  植物栽培用給水装置
３  容器
４  仕切り材
５  吸水体
６  コークス粉充填層
６ａ，６ｂ，６ｃ  充填層
７  外筒
８  パイプ
９  貫通孔
１０  パイプ
１１  水溜容器
１２  網状物体
１３  水槽
１４  水槽
１５  貫通孔
１６  園芸用土
１７  水
１８  植木鉢
１９  植物
【図１】
2005218303.tif 000003
【図２】
2005218303.tif 000004
【図３】
2005218303.tif 000005
【図４】
2005218303.tif 000006
【図５】
2005218303.tif 000007
【図６】
2005218303.tif 000008
【図７】
2005218303.tif 000009
【図８】
2005218303.tif 000010
【図９】
2005218303.tif 000011
【図１０】
2005218303.tif 000012